(57)【特許請求の範囲】
【請求項１】
短距離無線通信センサと、前記短距離無線通信センサと対話するモバイル端末と、を備え、
前記モバイル端末は、前記短距離無線通信センサとの対話の後、前記モバイル端末の少なくとも１つの動作を検出する検出手段を含み、
前記モバイル端末は、前記少なくとも１つの動作と前記短距離無線通信センサとの前記対話とに基づいて少なくとも１つの操作を制御する制御手段を含み、
前記短距離無線通信センサは、前記少なくとも１つの操作と前記モバイル端末の前記少なくとも１つの動作との間の関連情報を格納し、
前記短距離無線通信センサの存在が検出されてから予め定められた期間内に、前記検出手段が前記モバイル端末の前記少なくとも１つの動作を検出した場合、前記制御手段は、前記関連情報に基づいて、前記少なくとも１つの動作に対応する操作を実行する、短距離無線通信システム。
【請求項２】
前記モバイル端末が前記短距離無線通信センサの存在を検出した場合、前記制御手段は、前記短距離無線通信センサ上で有効な前記少なくとも１つの動作および関連付けられたコマンドに関連する情報を前記モバイル端末のスクリーン上に表示する、請求項１に記載の短距離無線通信システム。
【請求項３】
特定のコマンドの受信時に前記操作を実行するように構成され、前記モバイル端末に動作可能に結合されたリモート電子デバイスにより駆動される少なくとも１つのアクチュエータを備え、
前記モバイル端末は、前記モバイル端末の前記操作と前記動作との間の前記関連情報を前記短距離無線通信センサから受信し、自身の唯一の識別子としてモバイル端末の識別子を付加し、前記モバイル端末の識別子を前記関連情報とともに前記リモート電子デバイスへ伝送し、
モバイル端末の識別子とともに前記モバイル端末から前記リモート電子デバイスに前記特定のコマンドが無線で送信されたときに、前記リモート電子デバイスは、前記モバイル端末の識別子がテーブル内に存在するか否か、及び、前記リモート電子デバイスが前記操作を実行する権限を与えられているか否かをチェックし、肯定的な場合、前記リモート電子デバイスが前記少なくとも１つのアクチュエータに前記操作を実行させるように、前記リモート電子デバイスは、前記リモート電子デバイスが実行できる操作に対して前記モバイル端末の識別子をマップする前記テーブルを格納する、請求項１に記載の短距離無線通信システム。
【請求項４】
短距離無線通信センサと、前記短距離無線通信センサと対話するモバイル端末と、を備え、
前記モバイル端末は、前記短距離無線通信センサとの対話の後、前記モバイル端末の少なくとも１つの動作を検出する検出手段を含み、
前記モバイル端末は、前記少なくとも１つの動作と前記短距離無線通信センサとの前記対話とに基づいて少なくとも１つの操作を制御する制御手段を含み、
前記短距離無線通信センサは、前記少なくとも１つの操作と前記モバイル端末の前記少なくとも１つの動作との間の関連情報を格納し、
前記モバイル端末が前記短距離無線通信センサの存在を検出した場合、前記制御手段は、前記短距離無線通信センサ上で有効な前記少なくとも１つの動作および関連付けられたコマンドに関連する情報を前記モバイル端末のスクリーン上に表示する、短距離無線通信システム。
【請求項５】
短距離無線通信センサと、前記短距離無線通信センサと対話するモバイル端末と、を備える短距離無線通信システムであって、
前記モバイル端末は、前記短距離無線通信センサとの対話の後、前記モバイル端末の少なくとも１つの動作を検出する検出手段を含み、
前記モバイル端末は、前記少なくとも１つの動作と前記短距離無線通信センサとの前記対話とに基づいて少なくとも１つの操作を制御する制御手段を含み、
前記短距離無線通信センサは、前記少なくとも１つの操作と前記モバイル端末の前記少なくとも１つの動作との間の関連情報を格納し、
前記短距離無線通信システムは、特定のコマンドの受信時に前記操作を実行するように構成され、前記モバイル端末に動作可能に結合されたリモート電子デバイスにより駆動される少なくとも１つのアクチュエータを備え、
前記モバイル端末は、前記モバイル端末の前記操作と前記動作との間の前記関連情報を前記短距離無線通信センサから受信し、自身の唯一の識別子としてモバイル端末の識別子を付加し、前記モバイル端末の識別子を前記関連情報とともに前記リモート電子デバイスへ伝送し、
モバイル端末の識別子とともに前記モバイル端末から前記リモート電子デバイスに前記特定のコマンドが無線で送信されたときに、前記リモート電子デバイスは、前記モバイル端末の識別子がテーブル内に存在するか否か、及び、前記リモート電子デバイスが前記操作を実行する権限を与えられているか否かをチェックし、肯定的な場合、前記リモート電子デバイスが前記少なくとも１つのアクチュエータに前記操作を実行させるように、前記リモート電子デバイスは、前記リモート電子デバイスが実行できる操作に対して前記モバイル端末の識別子をマップする前記テーブルを格納する、短距離無線通信システム。
【請求項６】
前記短距離無線通信センサに格納された前記関連情報が前記モバイル端末により読み取られた場合、前記制御手段は、前記検出手段をイネーブルにする、請求項１から５のいずれか一項に記載の短距離無線通信システム。
【請求項７】
前記少なくとも１つの操作と前記モバイル端末の前記少なくとも１つの動作との間の前記関連情報は、少なくとも１つのＵＲＬまたはユニフォームリソースロケータを含む、請求項１から６のいずれか一項に記載の短距離無線通信システム。
【請求項８】
前記制御手段は、前記モバイル端末の前記少なくとも１つの動作に基づいて前記少なくとも１つの操作を実行する、請求項１から７のいずれか一項に記載の短距離無線通信システム。
【請求項９】
前記少なくとも１つの操作と前記モバイル端末の前記少なくとも１つの動作との間の前記関連情報は、前記モバイル端末からアクセス可能なリモート電子デバイスに送信される、請求項１から８のいずれか一項に記載の短距離無線通信システム。
【請求項１０】
前記短距離無線通信システムは、前記モバイル端末に動作可能に接続されるリモート電子デバイスを含み、前記モバイル端末の前記少なくとも１つの動作に基づいて少なくとも１つの操作を制御する第２制御手段を備える、請求項１から９のいずれか一項に記載の短距離無線通信システム。
【請求項１１】
前記短距離無線通信システムは、少なくとも１つの操作を実行し、前記少なくとも１つのコントローラにより駆動される少なくとも１つのアクチュエータをさらに含む、請求項１から１０のいずれか一項に記載の短距離無線通信システム。
【請求項１２】
前記短距離無線通信センサは、ＮＦＣまたは近距離通信タイプのセンサである、請求項１から１１のいずれか一項に記載の短距離無線通信システム。
【請求項１３】
前記検出手段は、複数の慣性センサを含む、請求項１から１２のいずれか一項に記載の短距離無線通信システム。
【請求項１４】
近距離無線通信においてモバイル端末を通じて電子デバイスを制御する方法であって、
モバイル端末を短距離無線通信センサと対話させる段階と、
前記対話の後、検出手段を通じて、前記モバイル端末の動作を、少なくとも前記モバイル端末を通じて検出する段階と、
短距離無線通信センサからおよび前記モバイル端末を通じて、前記少なくとも１つの操作と前記モバイル端末の動作との間の関連情報を読み取る段階と、
前記モバイル端末の制御手段を通じて、前記動作および前記短距離無線通信センサとの前記対話に基づいて少なくとも１つの操作を制御する段階と、
を備え、
前記短距離無線通信センサの存在が検出されてから予め定められた期間内に、前記検出手段が前記モバイル端末の前記少なくとも１つの動作を検出した場合、前記制御手段は、前記関連情報に基づいて、前記少なくとも１つの動作に対応する操作を実行する、方法。
【請求項１５】
前記モバイル端末が前記短距離無線通信センサの存在を検出した場合、前記制御手段は、前記短距離無線通信センサ上で有効な前記少なくとも１つの動作および関連付けられたコマンドに関連する情報を前記モバイル端末のスクリーン上に表示する、請求項１４に記載の方法。
【請求項１６】
自身の唯一の識別子としてモバイル端末の識別子を前記関連情報に付加する段階と、
特定のコマンドの受信時に前記操作を実行するように構成され、前記モバイル端末に動作可能に結合されるリモート電子デバイスにより駆動されるアクチュエータを提供する段階と、
前記モバイル端末が実行できる操作に対して前記モバイル端末の識別子をマップするテーブルを前記リモート電子デバイスに格納し、
前記モバイル端末から前記リモート電子デバイスに特定のコマンドを前記モバイル端末の識別子及び前記関連情報とともに無線で送信し、
前記モバイル端末の識別子が前記テーブル内に存在するか否か、及び、前記モバイル端末が前記操作を実行する権限を与えられているか否かを、前記リモート電子デバイスを通じてチェックし、肯定的な場合、前記アクチュエータに前記操作を実行させることにより、
前記モバイル端末の前記動作と、前記短距離無線通信センサとの前記対話とに基づいて、前記操作を前記モバイル端末の前記制御手段を通じて制御する段階と
を備える、請求項１４に記載の方法。
【請求項１７】
近距離無線通信においてモバイル端末を通じて電子デバイスを制御する方法であって、
モバイル端末を短距離無線通信センサと対話させる段階と、
前記対話の後、検出手段を通じて、前記モバイル端末の動作を、少なくとも前記モバイル端末を通じて検出する段階と、
短距離無線通信センサからおよび前記モバイル端末を通じて、前記少なくとも１つの操作と前記モバイル端末の動作との間の関連情報を読み取る段階と、
前記モバイル端末の制御手段を通じて、前記動作および前記短距離無線通信センサとの前記対話に基づいて少なくとも１つの操作を制御する段階と
を備え、
前記モバイル端末が前記短距離無線通信センサの存在を検出した場合、前記制御手段は、前記短距離無線通信センサ上で有効な前記少なくとも１つの動作および関連付けられたコマンドに関連する情報を前記モバイル端末のスクリーン上に表示する、方法。
【請求項１８】
近距離無線通信においてモバイル端末を通じて電子デバイスを制御する方法であって、
モバイル端末を短距離無線通信センサと対話させる段階と、
前記対話の後、検出手段を通じて、前記モバイル端末の動作を、少なくとも前記モバイル端末を通じて検出する段階と、
短距離無線通信センサからおよび前記モバイル端末を通じて、前記短距離無線通信センサに格納されている、操作と前記モバイル端末の動作との間の関連情報を読み取る段階と、
自身の唯一の識別子としてモバイル端末の識別子を前記関連情報に付加する段階と、
特定のコマンドの受信時に前記操作を実行するように構成され、前記モバイル端末に動作可能に結合されるリモート電子デバイスにより駆動されるアクチュエータを提供する段階と、
前記モバイル端末が実行できる操作に対して前記モバイル端末の識別子をマップするテーブルを前記リモート電子デバイスに格納し、
前記モバイル端末から前記リモート電子デバイスに特定のコマンドを前記モバイル端末の識別子及び前記関連情報とともに無線で送信し、
前記モバイル端末の識別子が前記テーブル内に存在するか否か、及び、前記モバイル端末が前記操作を実行する権限を与えられているか否かを前記リモート電子デバイスを通じてチェックし、肯定的な場合、前記アクチュエータに前記操作を実行させることにより、
前記モバイル端末の前記動作と、前記短距離無線通信センサとの前記対話とに基づいて、前記操作を前記モバイル端末の制御手段を通じて制御する段階と
を備える方法。
【請求項１９】
前記短距離無線通信センサに格納された前記関連情報が前記モバイル端末により読み取られた場合、前記制御手段は、前記検出手段をイネーブルにする、請求項１４から１８のいずれか一項に記載の方法。
【請求項２０】
前記方法は、前記制御手段を通じて、前記モバイル端末の前記動作に基づいて前記少なくとも１つの操作を実行する段階を提供する、請求項１４から１９のいずれか一項に記載の方法。
【請求項２１】
前記方法は、前記モバイル端末に動作可能に接続される少なくとも１つのリモートコントローラを提供する第２制御手段を通じて、前記モバイル端末の前記動作に基づいて少なくとも１つの操作を制御する段階を提供する、請求項１４から１９のいずれか一項に記載の方法。
【請求項２２】
前記方法は、少なくとも１つのアクチュエータを通じて少なくとも１つの操作を実行する段階と、前記モバイル端末に動作可能に接続される少なくとも１つのコントローラを通じて前記少なくとも１つのアクチュエータを制御する段階と、を提供する、請求項１４から１９のいずれか一項に記載の方法。
【請求項２３】
請求項１４から２２のいずれか一項に記載の方法を実装するモバイル端末。
【請求項２４】
コンピュータに、請求項１４から２２のいずれか一項に記載の方法を実装させるプログラム。
【発明の詳細な説明】
【技術分野】
【０００１】
本発明は、改善された複数の機能を有し、方法に関連する短距離無線通信センサおよびモバイル端末を備える短距離無線通信システム、特にＮＦＣ通信（「近距離通信」）に関する。
【背景技術】
【０００２】
短距離通信技術、特に、ＮＦＣに関連する技術は、主として以下の３つのモードの操作を提供することが知られている。
−「リーダ−ライタ」。最も標準的且つ一般的な使用モードである。このモードにより、ＮＦＣリーダは、ＮＦＣラベル（または「タグ」）に含まれるメモリからコンテンツを読み取ることができる。このモードにおいて実行されるジェスチャは、いわゆる「タップ」に限定される。このジェスチャによって、実際、ユーザは、図１に示されるように、ＮＦＣデバイス（例えば、「スマートフォン」またはＮＦＣハードウェアおよびファームウェアを装備する一般的なモバイル端末３）をＮＦＣタグ１に近づけて（ほぼタッチ）、そのコンテンツを読み取ることができる。
−「カードエミュレーション」。このモードにより、ＮＦＣデバイスは、共通のラベルＮＦＣとして操作することができる。このモードは、特に、電子決済設定（「支払」および「発券」）において使用される。
−「ピアツーピア」。ＮＦＣ回路を装備する２つのデバイスに、双方向通信チャネルの導入を通じてデータを交換させる操作モードである。
【０００３】
最新技術において、いわゆる「スマートポスター」、すなわち、その後ろに１または複数のＮＦＣ１ラベルが配置され、取り付けられる、たいてい紙形式のポスターもよく知られている。ＮＦＣ回路を装備するモバイル端末３により読み取られる各ＮＦＣラベル１は、異なる操作または機能に対応する。
【０００４】
現在まで、任意の分野において、各ＮＦＣラベル１は、非常に精密な単一操作に関し、他から独立している。図２ａに見本「スマートポスター」２００の正面図、図２ｂにＮＦＣタグ１を可視化した後側２０２、図２ｃにスマートフォン２０４とスマートポスター２００との間の可能な対話が示される。
【０００５】
更に、最新技術において、「スライド」（または「スワイプ」）と呼ばれるジェスチャを通じてのＮＦＣデバイスとＮＦＣセンサとの間の対話が知られている。この対話は、製造の観点から、複数のＮＦＣセンサを使用し、各センサは非常に特殊な操作を表すと仮定して実装される。
【０００６】
図３ａおよび図３ｂを参照すると、例えば、「ドアを開ける」機能は第１のＮＦＣセンサ１、「ドアを閉める」機能は第２のＮＦＣセンサ２に関連付けられてよい。従って、２つのＮＦＣセンサ１および２を用いて、モバイル端末３およびコントローラ４を使用するドアを開閉する動作を実行することが可能になってよい。なお、後者は、効率的に、複数のコマンドを複数の操作に変換することができる。
【０００７】
この点について、特許文献WO 2011/103684は、複数のＮＦＣセンサ、ＮＦＣ回路を有するモバイル端末、およびプロセッサを備えるシステムを記載する。記載の方法は、複数のＮＦＣセンサに近接してモバイル端末を動かす可能性を記載し、適切な方法コントローラにおける設定によって、複数のセンサがＮＦＣモバイル端末により読み取られる時間およびシーケンスに基づいて、様々な操作を実行することができる。
【０００８】
しかし、モバイル端末は、必然的に、少なくとも２つのＮＦＣセンサを用いて通信して、所定の操作の実行を得なければならないので、そのようなシステムおよび方法は、操作の高い有用性および即時性を得ることができない。さらに、各ラベルＮＦＣは、単一機能のみを提供し、単に「タップ」ジェスチャを通じてアクティブ化される。従って、インストールコストおよび時間ならびにそのような方法およびシステムを実装するのに必要な領域を増大する各操作のために、ＮＦＣセンサを加える必要がある。
【０００９】
従って、最新技術において、簡単な「タップ」と異なるユーザのジェスチャおよびモバイルデバイスを提供することができる解はない。現時点では、実際、より複雑なジェスチャは、単一のＮＦＣラベルを参照して考慮されない。
【００１０】
最新技術において知られるより複雑なジェスチャは、例えば、触覚タイプスクリーン（「タッチスクリーンディスプレイ」）に関連する。元来、触覚タイプスクリーンは、個々のコマンドを処理できるだけであった（「単一タッチのスクリーン」）。その後になって、この操作の制限特性が評価され、複数タッチのスクリーンが導入され（「マルチタッチディスプレイ」）、それにより、ユーザが端末を通じて彼らのスクリーンと対話する方法に革命を起こすことができる様々なジェスチャが導入された。例えば、図４に、当該分野において知られる幾つかのジェスチャが挙げられる。
【００１１】
一方、複数の近距離無線通信を参照すると、モバイル端末と短距離センサとの間のすべての可能な対話は、ＮＦＣ通信に関連する幾つかの典型的な使用ケース５００、５０２、５０４を示す図５に示されるように、もっぱらシングルタッチモード（「シングルタッチ」または「タップ」）を通じて行われる。使用ケース５００では、ユーザは、ＮＦＣラベル上で彼のスマートフォンを用いて「タップ」ジェスチャを取り、ＮＦＣラベルから、スマートフォンが接続して会社のオファーを読み取るウェブアドレス（会社のフェイスブックページ）を受信する。使用ケース５０２は、今説明したものと同様であり、使用ケース５０４は、ユーザが、ＮＦＣラベル上で彼のスマートフォンを用いて「タップ」ジェスチャを操作することで、ＮＦＣラベルがスマートフォンに、スマートフォン上でアプリケーション、この場合ツィッターを始める情報を送信することを提供する。
【発明の概要】
【００１２】
従って、短距離無線通信システムおよび方法、特に、ユーザ端末の有用性を改善することのできる改善された複数の機能を有する短距離通信センサおよびモバイル端末を備えるＮＦＣ通信を開示することが本発明の目的である。
【００１３】
本発明の第２の目的は、短距離無線通信システムおよび方法、特に、操作制御をユーザにとってより自然にすることができる改善された複数の機能を有する短距離通信センサおよびモバイル端末を備えるＮＦＣ通信を開示することである。
【００１４】
本発明の第３の目的は、短距離無線通信システムおよび方法、特に、ユーザが、そのような近距離無線通信を簡単且つ低コストの方法で実行することができる改善された複数の機能を有する短距離通信センサおよびモバイル端末を備えるＮＦＣ通信を開示することである。
【００１５】
本発明のさらなる目的は、短距離無線通信システムおよび方法、特に、それらを実行するのに必要なＮＦＣセンサまたはモバイル端末の数を増大しないで、ユーザが、彼のモバイル端末を用いて複数のジェスチャ範囲を拡大して、複数の操作を実行することができるようにする改善された複数の機能を有する短距離通信センサおよびモバイル端末を備えるＮＦＣ通信を開示することである。
【００１６】
操作するあるデバイスに関連するすべてのコマンドは、システムインストールおよびメンテナンスの間、相当のリソースがセーブされた単一モバイル端末および単一ＮＦＣセンサを通じて与えられてよい。
【００１７】
発明のこれらおよび他の目的は、短距離無線通信システムおよび方法、特に、本説明の不可欠な部分を形成する添付の特許請求の範囲に記載されるような、改善された複数の機能を有する短距離通信センサおよびモバイル端末を備えるＮＦＣ通信によって達成される。
【００１８】
要するに、ここに、短距離無線通信センサと対話するのに適当な短距離無線通信センサおよびモバイル端末を備える短距離無線通信システムが記載される。ここで、モバイル端末は、短距離無線通信センサとの対話に基づいて少なくとも１つのモバイル端末の動作を検出するのに適当な検出手段を備える。また、モバイル端末は、制御手段、特に、動作および短距離無線通信センサとの対話に基づいて少なくとも１つの操作を制御するのに適当なマイクロプロセッサを備える。
【００１９】
発明のさらなる複数の機能は、本明細書の不可欠な部分であることを意図する添付の特許請求の範囲の主題である。
【図面の簡単な説明】
【００２０】
上記の目的は、特に添付の図面を参照して、短距離無線通信システムおよび方法、特に、本発明に係る改善された複数の機能を有する短距離通信センサおよびモバイル端末を備えるＮＦＣ通信の詳細な説明から明らかに現れるであろう。
【図１】ＮＦＣセンサ上での「タップ」ジェスチャを示す。
【図２ａ】最新技術において知られるスマートポスターを示す。
【図２ｂ】最新技術において知られるスマートポスターを示す。
【図２ｃ】最新技術において知られるスマートポスターを示す。
【図３ａ】当該分野において知られるモバイル端末と幾つかのＮＦＣセンサとの間の対話の例を示す。
【図３ｂ】当該分野において知られるモバイル端末と幾つかのＮＦＣセンサとの間の対話の例を示す。
【図４】最新技術において知られる幾つかのジェスチャを示す。
【図５】最新技術において知られ、ＮＦＣ通信と呼ばれる幾つかの使用ケースを示す。
【図６】本発明に係るモバイル端末と短距離無線通信センサとの間の対話の例を示す。
【図７】本発明に係るモバイル端末に関連するブロック図の例を示す。
【図８】本発明に係るシステム操作ロジックのフロー図を示す。
【図９】本発明に係るモバイル端末と短距離無線通信センサとの間の対話のさらなる例を示す。
【図１０】本発明に係るモバイル端末と短距離無線通信センサとの間の対話のさらなる例を示す。
【図１１】本発明に係るモバイル端末の動作の検出に対するブロック図を示す。
【図１２】本発明に係るシステム操作ロジックのフロー図の例を示す。
【図１３】本発明に係るモバイル端末と短距離通信センサとの間の対話のさらなる例を示す。
【図１４】本発明に係るモバイル端末と短距離通信センサとの間の対話のさらなる例を示す。
【図１５】コントローラのブロック図を示す。
【図１６】本発明に係るモバイル端末に関連するブロック図のさらなる例を示す。
【図１７ａ】本発明に係る典型的な実施形態の可能なジェスチャおよび関連する操作を示す。
【図１７ｂ】本発明に係る典型的な実施形態の可能なジェスチャおよび関連する操作を示す。
【図１７ｃ】本発明に係る典型的な実施形態の可能なジェスチャおよび関連する操作を示す。
【図１７ｄ】本発明に係る典型的な実施形態の可能なジェスチャおよび関連する操作を示す。
【図１８】本発明に係るシステム操作ロジックのフロー図の例を示す。
【発明を実施するための形態】
【００２１】
本発明の第１の実施形態では、短距離通信は、「リーダ−ライタ」モードを採用するＮＦＣ通信である。
【００２２】
図６を参照すると、例えば、システム１０は、ユーザが短距離センサ５に近づけるモバイル端末３を備える。短距離センサ５は、例えば、識別コードおよび他のプログラマブル情報を含む無線可読メモリを装備するＮＦＣタグ１内にあってよい。モバイル端末３が短距離センサ５の通信範囲の近くにあると、それらの間の通信、特に、ＮＦＣプロトコルの使用を伴う無線通信が確立される。その後、モバイル端末３の動作および対話の間に交換される情報に従って、コントローラ４は、別のものよりむしろ、操作を実行する。
【００２３】
モバイル端末３なる用語は、モバイル電子デバイス、特に、携帯電話、スマートフォン、少なくとも１つの短距離無線通信回路を有するバッジまたはクレジットカード、およびデバイスにより受ける動作を検出するための手段を指す。
【００２４】
例えば、ユーザがモバイル端末３を左方に動作すると、コントローラ４は操作Ａを実行し、ユーザがモバイル端末３を右方に動作すると、コントローラ４は操作Ａと異なってよい操作Ｂを実行する。
【００２５】
従って、ユーザは、簡単なジェスチャを通じて、またより自然で日常生活に近いアプローチにより、両操作ＡおよびＢの実行を制御することができるであろう。しかし、上記のすべては短距離センサ５のみを使用することによる。
【００２６】
短距離センサ５は、その中にメモリ領域があるＮＦＣセンサ（ＮＦＣラベルまたは「タグ」とも呼ばれる）であってよい。メモリ領域は、テキストタイプの情報、例えば、ＳＭＳ（「ショートメッセージサービス」）をある電話番号に、または電子メールを特定のアドレスに送信する、また最近では、ラベルを読み取ったスマートフォンの幾つかの設定を変更（例えば、振動のイネーブル、着信音の音量を下げること、無線周波数通信のアクティブ化など）するような読み取りの結果として実行されることができる例えばウェブページへのリンクまたは多くても可能な操作を保持するために頻繁に使用される。
【００２７】
図７を参照すると、発明の好ましい実施形態では、モバイル端末３は、例えば、検出手段３１、特に、加速度計および／またはジャイロスコープのような少なくとも１つの慣性センサ、キーボードのような少なくとも１つの入力デバイス３３、少なくとも１つのスクリーン３５、少なくとも１つの短距離通信回路３７、例えば、ＮＦＣ回路、少なくとも１つのメモリ３８、および制御手段３９、特に、モバイル端末３が短距離センサ５の通信範囲の近くに位置すると、短距離センサ５と短距離通信を確立することができるマイクロプロセッサを含む。
【００２８】
この実施形態は、実行および検出された動作に関連付けられる異なる操作を割り当てるために、同一のモバイル端末３の少なくとも１つの動作、より一般的には、短距離センサ５の近くのユーザにより行われる動作またはジェスチャを検出するのに適当なモバイル端末３により供給される検出手段３１を使用することの利点を提供する。従って、制御手段３９は、検出手段３１から提供されるデータによってモバイル端末３の動作を検出し、検出された動作に基づいて操作を制御することができる。
【００２９】
より具体的には、モバイル端末３により供給される検出手段３１は、複数の慣性センサを備える。慣性センサなる用語を用いて、我々は、直線加速度（例えば、加速度計）または角速度（例えば、ジャイロスコープ）を測定するために、それらの中に含まれる質量の慣性を概念的に利用するタイプのセンサを参照する。
【００３０】
概して、本発明に係る図８を参照すると、ロジックを操作するシステム１０は、ステップ１１にて、モバイル端末３が短距離センサ５の通信範囲に近接して位置すると、短距離センサ５との短距離通信接続を確立するために、特にＮＦＣセンサを提供する。ステップ１３にて、モバイル端末３上に位置する１または複数の検出手段３１をイネーブルし、ステップ１５にて、モバイル端末３上でユーザにより実行される１または複数の動作を検出し、ステップ１７にて、特定の動作またはある期間内の特定の動作、例えば５秒以内に達成される右方動作に対応する操作（ローカルまたはリモート）を実行する。
【００３１】
本発明のさらなる実施形態では、短距離センサ５は、ユーザが短距離センサ５自体の近くで実行できる単一操作に関連する単一情報だけでなく、操作とモバイル端末３の動作との間の関連情報を含む、または格納することができる。
【００３２】
例えば、図９を参照すると、水平方向および垂直方向の動作のみを考えて、単一の短距離センサ５は、少なくとも４つの異なる操作を処理することができる。
−操作Ａ：モバイル端末３の左方動作
−操作Ｂ：モバイル端末３の右方動作
−操作Ｃ：モバイル端末３の下方動作
−操作Ｄ：モバイル端末３の上方動作
【００３３】
４つの上記のアクションは、モバイル端末３から直接実行されることができる。例えば、それらは、同一のモバイル端末３の設定を調整するために（例えば、スマートフォンのアラームまたは振動のイネーブルまたはディスエーブル）、またはメディアプレーヤとして機能しながら複数のコマンドを与えるために、使用される。
【００３４】
短距離センサ５は、以下のような４つの可能な操作に関連する関連情報を含む。
−操作Ａ−サイレントモード＝ON (silent=on)
−操作Ｂ−サイレントモード＝OFF (silent=off)
−操作Ｃ−振動＝ON (viber=on)
−操作Ｄ−振動＝OFF (viber=off)
【００３５】
様々な動作（ジェスチャ）に関連するトランザクションの関連情報は、例えば、次のようなノルムを有することができる。
右方動作を示す「1#」
下方動作を示す「2#」
左方動作を示す「3#」
上方動作を示す「4#」
【００３６】
このノルムを利用して、短距離センサ５のメモリに含まれる関連情報は、例えば、次のテキスト文字列（おそらく幾つかのレコードに分割される）を含むＮＤＥＦメッセージ（「ＮＦＣデータ交換フォーマット」）である。
"1#http://130.192.85.18/apply?action=viber=on2#http://130.192.85.18/apply?action=silent=off3#http://130.192.85.18/apply?action=viber=off4#http://130.192.85.18/apply?action=silent=on"
【００３７】
概して、この表現において、１つのＵＲＬ（ユニフォームリソースロケータ）が４つの操作の各１つに関連付けられる。
【００３８】
別の実施形態において、モバイル端末によって動作自体を実行するのに要する時間に従って、複数の動作を、従って複数の操作を、さらに区別することができる。この実施形態は、例えば、あなたが次の複数の操作およびそれぞれの動作を得てよい、複数の可能な操作の倍増につながる。
操作Ａ：モバイル端末３の左方への遅い動作
操作Ｂ：モバイル端末３の右方への遅い動作
操作Ｃ：モバイル端末３の下方への遅い動作
操作Ｄ：モバイル端末３の上方への遅い動作
操作Ｅ：モバイル端末３の左方への速い動作
操作Ｆ：モバイル端末３の右方への速い動作
操作Ｇ：モバイル端末３の下方への速い動作
操作Ｈ：モバイル端末３の上方への速い動作
【００３９】
これらの簡単な線形動作に加えて、例えば、モバイル端末３のシェイキング、または短距離センサ５上での長引く「タッピング」、または短距離センサ５の幾つかの連続する読み取りを伴うモバイル端末３の断続的な動作、またはある角度量（例えば、９０°、１８０°）のモバイル端末の時計回りまたは反時計回りの回転のようなより複雑な複数の動作および複数のジェスチャ、または、概して、モバイル端末３上に位置する検出手段３１により検出される任意の動作および／またはジェスチャを提供することができる。
【００４０】
別の実施形態において、実行される複数の操作についての関連情報は、短距離センサ５に直接格納されず、リモートサーバのような外部のリモートデバイスに格納および含まれる。この場合、短距離センサ５のコンテンツは、例えば、単に、"http://130.192.85.18/other_apply?gesture="のようなＵＲＬ文字列とされることができる。この例では、モバイル端末３上のソフトウェアアプリケーションは、実行される複数のジェスチャに対してコードを追加することにより、ＵＲＬを完全にする。毎回、短距離センサ５上の関連情報をリライトする必要がないので、このモードによって、あなたは、新しい複数のジェスチャを容易に追加することができる。
【００４１】
別の実施形態は、モバイル端末３が、操作を実行するリモートサーバから切り替わるのを完全に防止する。この場合、短距離センサ５のコンテンツは、例えば、次の文字列であることができる。
"1#viber=on2#silent=off3#viber=off4#silent=on"
【００４２】
後者のアプローチにおいて、モバイル端末３上の制御手段３９を通じて実装されるソフトウェアアプリケーションは、ジェスチャを認識し、上記のノルムの利点を利用して、対応する操作を実行する。実際、モバイル端末３は、少なくとも１つのモバイル端末３の動作に基づく操作を制御し、実装するのに適当な制御手段３９を備える。ソフトウェアアプリケーション自体は、操作を実装するのに使用するアルゴリズム、従って、例えば、リコールするモバイル端末３のオペレーティングシステムＡＰＩ（アプリケーションプログラミングインターフェース）を認め、それにより、モバイル端末３の着信音または振動をイネーブルまたはディスエーブルする。
【００４３】
明らかに、上記の実施形態は、短距離センサ５の３つの可能なストレージモードのみが、採用されたモードから独立であることを表すが、短距離センサ５の書き込み操作は、エンドユーザにより直接（書き換え可能なメモリまたは短距離センサ５を使用して）およびサービスプロバイダによりまたは短距離センサ５自体により（書き換え可能なメモリまたはリードオンリ短距離センサ５を使用して）実行されてよい。
【００４４】
図１０を参照して、モバイル端末３上に、検出された動作に従って複数の可能な操作Ａ、Ｂ、Ｃ、およびＤを実行することができる制御手段３９を通じて実装されるソフトウェアアプリケーションがあるとする。従って、このソフトウェアアプリケーションは、オペレーティングシステムＡＰＩを使用して、それにより、特にスマートフォンの場合、モバイル端末３の着信音または振動をイネーブルまたはディスエーブルすることができるであろう。
【００４５】
実用的な観点から、まず、ソフトウェアアプリケーションの制御手段３９は、短距離センサ５の存在を検出するのを待ち、これが起こるとすぐ、そのコンテンツを読み取る。アプリケーションは、短距離センサ５が格納されていたノルムを知り、従って、それを、幾つかの処理が格納され、そして関連付けられる特殊センサとして識別することができる。
【００４６】
より詳細には、アプリケーション、そして制御手段３９は、モバイル端末３の右方動作の結果として振動をイネーブルしなければならず、下方動作の結果としてサイレントモードをディスエーブルしなければならず、左方動作の結果として振動をディスエーブルしなければならず、最後に、上方動作の結果としてサイレントモードをイネーブルしなければならないであろう。
【００４７】
短距離センサ５に格納された関連情報がモバイル端末３により読み取られるとすぐ、アプリケーションは、その向きと独立にいずれのモバイル端末３の動作を検出するモバイル端末３の検出手段３１、例えば加速度計をイネーブルするであろう。
【００４８】
モバイル端末３の動作検出の一実施形態は、図１１に示されるものであってよい。この実施形態では、モバイル端末３の３軸加速度計の複数の値は、まず第１に、モバイル端末３の向きを考慮するためにリセットされ（複数の値を「リセット」）、その後、閾値と比較されて、３軸のそれぞれの上でのいずれの動作を検出する。
【００４９】
更に、例えばソフトウェアの機能によってモバイル端末３上に実装されるタイマ６は、短距離通信センサ５の存在検出からまたはモバイル端末３により情報が受け取られてからの経過時間、すなわちセンサとの対話からの経過時間を測定することにより、モバイル端末３と短距離センサ５との間のユーザの対話を完了するのに利用可能な時間の量をセットするカウントダウンタイマ（「カウントダウン」機能）として使用されることができる。もし、タイマ６により実行されるカウントダウンの終了の前に、３軸のうちの１つの閾値が超えられる、すなわち、モバイル端末３の動作が検出されると、ソフトウェアアプリケーションは、例えば、対応するＡＰＩをリコールすることにより、動作に対応する操作を実行する。
【００５０】
最後に、いずれの閾値も超えられない場合、検出手段３１によるデータ読み取りがディスエーブルされ、モバイル端末３は、再び、短距離センサ５の存在を検出するために待ち始める。
【００５１】
上記の実施形態に関連する全体の操作ロジックが、図１２に示される。ステップ２１にて、モバイル端末３は、短距離センサ５との接続を確立するために待ち続ける。接続は、モバイル端末３が短距離センサ５の通信範囲の近くに位置すると、生ずる。ステップ２３にて、モバイル端末３は、短距離センサ５が、モバイル端末３に転送されるであろう幾つかの処理に関連する関連情報を格納する特殊センサであるかどうか疑う。否定されるとステップ２１に戻り、そうでなければ、ステップ２５にて、モバイル端末３は、動作検出手段３１、特に、少なくとも１つの慣性センサをイネーブルし、ステップ２７にて、そのような検出手段３１は、モバイル端末３の可能な動作を検出する、またはカウントダウンタイマ６の終了を待つ。ステップ２９にて、動作が検出されないと、ステップ２１に戻り、そうでなければ、ステップ３１にて、モバイル端末３、特に制御手段３９は、短距離センサ５により得られる関連情報に基づいて、実行される動作に対応する操作を実装する。
【００５２】
図１０を参照する実施形態と同様に、さらに、単一の短距離センサ５を使用する簡単なメディアプレーヤ（一般にリーダまたは「プレーヤ」と呼ばれる）を実現することができる。この目的のため、図１３を参照すると、操作「次のトラックに行く」は、例えば、右方動作に、操作「前のトラックに行く」は左方動作に、操作「プレイ」または「ポーズ」は上方動作に（操作「プレイ」は、プレーヤが止められる、または一時停止されると実行されることができ、操作「ポーズ」は、プレーヤが現在のトラックを演奏していると実行されることができる）、再生を中断するための操作「ストップ」は下方動作に、関連付けられることができる。この場合にあっても、処理ロジックは、図１２に示されるものと同一である。図１３の実施形態は、図１０におけるものと、異なる動作に対応してモバイル端末３により実行される複数の操作のみが異なる。
【００５３】
２つの上記の例は、本発明に係る可能な実施形態の非常に小さいサブセットのみを表す。モバイル端末に関連する複数の操作を最も多様な設定変更（「通話設定」）、それらをアンインストールまたはインストールするのではなく複数のソフトウェアアプリケーションを起動すること、ブルートゥースデバイスではなくＷｉＦｉネットワーク（「Ｗｉｒｅｌｅｓｓ  Ｆｉｄｅｌｉｔｙ」）に接続すること、またはＳＭＳメッセージを特定の電話番号に送信すること、チャットメッセージを特定の連絡先に送信すること、通話を開始するまたは終了すること、あるソーシャルネットワーク（一般に「ソーシャルネットワーク」と呼ばれる）にアクセスすること、連絡先と情報を共有すること、あるウェブページを開くことなど、に関係させることができる。
【００５４】
上記の操作のすべては、モバイル端末の処理状態に基づいて、本発明のメカニズムにより割り当てられることができる。この状態は、都合の良いように、ＮＦＣタグの近接の検出により変えることができる。例えば、図１０における４つの動作の制御システムの場合、モバイル端末３が短距離センサ５の存在を検出すると、必要に応じて、適切なシグナル表示手段（図１６では不図示）を通じての音または機械（振動）指示、および／またはモバイル端末３のスクリーン３５上の警告による可視指示のいずれのタイプによって読み取られるセンサ５についてフィードバックを与えることができる。さらに、複数の動作に関連する情報およびそのセンサ上で使用可能な関連付けられる複数のコマンドを、そのスクリーン３５上に自動的に表示することが期待される。実際、モバイル端末３は、そのような複数の動作およびそれらの関連付けられる複数のコマンド（メディア再生開始、ドア開等）を、短距離センサ５（例えば、ＮＦＣタグ）を一義的に識別する唯一の識別子と関連付けて、内部メモリ３８に格納することができる。このように、ユーザは、モバイル端末３が特定の短距離センサ５と無線接触すると、複数のコマンドおよび複数の動作が何に割り当てられることができるか覚えるのに役立てられる。支援データが、ユーザに、どの操作がその短距離センサ５に対して利用できるか、また実行を得るためにどの動作を実行すべきかを思い出させる必要がないと考えられる場合、自動可視化は、望ましくは、モバイル端末３の設定メニューにおいてユーザによりイネーブルまたはディスエーブルされることができる。この可視化は、ある複数の操作がすべてのモバイル端末３において許可されると、特に有用であり（例えば、鳴鐘）、ユーザは、どの操作が彼に未知であり、短距離センサ５がどの動作を実行できないか知らない。
【００５５】
図１４を参照すると、本発明に係るさらなる実施形態は、例えば、システム１０が、ユーザのジェスチャに従ってドアロックの開閉を制御する短距離センサ５を含むことを提供する。
【００５６】
操作の実行は、モバイル端末３上で直接終了せず、システム１０内におそらく位置するリモートコントローラ４上で終了するため、この例は、前の複数の実施形態より複雑である。この実施形態では、短距離センサ５の範囲内で、モバイル端末３の複数の操作とユーザが実行できる複数の動作との間の関連情報がすでに存在し、エンコードされる（例えば、すでに短距離センサ５の製造中にメーカにより格納される）ことを仮定する。
【００５７】
さらに、複数の異なる動作との複数の操作の関連付けのために、以下のタイプのノルムを使用することを仮定する。
右方動作を示す「1#」
下方動作を示す「2#」
左方動作を示す「3#」
上方動作を示す「4#」
【００５８】
このノルムを利用して、短距離センサ５のメモリ領域のコンテンツは、例えば、次の関連情報（おそらく幾つかのレコードに分離）を含むＮＤＥＦメッセージである。
"1#http://130.192.85.18/apply?action=open_door2#http://130.192.85.18/apply?action=ring_bell3#http://130.192.85.18/apply?action=lock_door4#http://130.192.85.18/apply?action=leave_message"
【００５９】
この場合、制御手段３９によって実装され、モバイル端末３上に位置するソフトウェアアプリケーションは、同一のモバイル端末３上に位置する検出手段３１から供給されるデータによって、複数のジェスチャを認識する。上記のノルムを利用して、例えばコントローラ４上のウェブサービスをリコールすることにより、動作に対応する操作を制御する。より詳細には、モバイル端末３およびコントローラ４は、（無線またはケーブル）通信チャネル７を通じて通信する、すなわち、モバイル端末３は、上記のＮＤＥＦメッセージのコンテンツおよび実行される動作（例えば、# 1または# 2または# 3または# 4）に対応するノルムコードをコントローラ４に送信する。コントローラ４は、この情報を受信し、動作に対応する操作を実装する。特に、通信チャネル７は、ブルートゥースチャネルタイプまたはＷｉＦｉまたはＷｉＦｉダイレクトまたはイーサネット（登録商標）等であることができる。
【００６０】
図１５を参照すると、コントローラ４は、計算能力を有する「埋め込み」システムであってよい。システムは、少なくとも１つのメモリ４１、モバイル端末３とデータを交換する少なくとも１つの送受信モジュール（「トランシーバ」）４３、特に無線またはケーブル経由トランシーバ、電気機械的駆動手段４５、特に、コントローラ４が、図１４の例において、電子ドアロック、ベル（またはブザー）、およびボイスレコーダに対応する特殊なアクチュエータを駆動することができるリレーを備える。さらに、コントローラ４は、第２制御手段４７、特に、ウェブサービスを発行するマイクロプロセッサを備え、モバイル端末３からの複数のリモートリクエストを処理して、特にあるアドレス（例えば、http://130.192.85.18）に送信し、電気機械的駆動手段４５を制御する。基本的には、コントローラ４は、リモートウェブサーバの機能を実行することができ、第２制御手段４７によって、操作を実装する。
【００６１】
図１６を参照すると、発明の別の実施形態は、モバイル端末３は、コントローラ４とワイヤレスで通信する第２の送受信モジュール（送受信または「トランシーバ」）３６も含み、さらに、制御手段３９は、検出された動作に基づいて操作を実装するコントローラ４をリモートで制御することを提供する。
【００６２】
図１７ａ、図１７ｂ、図１７ｃ、および図１７ｄを参照すると、図１４の例に関連する４つの可能なアクション、それぞれ、アクチュエータ５０Ａにより最後の手段として実装されるモバイル端末３の右方動作の結果としてのドア開、アクチュエータ５０Ｂにより最後の手段として実装されるモバイル端末３の左方動作の結果としてのドア閉、アクチュエータ５０Ｃにより最後の手段として実装されるモバイル端末３の上方動作の結果としてのボイスメッセージレコーディング、アクチュエータ５０Ｄにより最後の手段として実装されているモバイル端末３の下方動作の結果としての鳴鐘の演奏が示される。
【００６３】
機能的観点から、まず、モバイル端末３のソフトウェアアプリケーション、そして制御手段３９は、短距離センサ５の存在を検出するために待ち続けるであろう。これが起こるとすぐ、そのコンテンツを読み取るであろう。ソフトウェアアプリケーションは、短距離センサ５が格納されているノルムを知り、従って、それを、幾つかの処理が関連付けられる特殊センサとして識別することができる。
【００６４】
より詳細には、ソフトウェアアプリケーションは、右方動作の結果として、例えば、URL http://130.192.85.18/apply?action=open_doorで利用可能なコントローラ４上のウェブサービスをリコールしなければならいことを知るであろう。下方動作に続いて、例えば、URL http://130.192.85.18/apply?action=ring_bellで利用可能なコントローラ４上のウェブサービスをリコールしなければならないであろう。左方動作に続いて、例えば、URL http://130.192.85.18/apply?action=lock_doorで利用可能なコントローラ４上のウェブサービスをリコールしなければならないであろう。最後に、上方動作の後、例えば、URL "http://130.192.85.18/apply?action=leave_message"で利用可能なコントローラ４上のウェブサービスをリコールしなければならないであろう。
【００６５】
従って、モバイル端末３が短距離センサ５のメモリのコンテンツを読み取り終えるとすぐ、ソフトウェアアプリケーションまたは制御手段３９は、モバイル端末３上に位置する検出手段３１をイネーブルし、可能な独自の動作を（同一の向きから独立に）検出する。
【００６６】
本発明に係るこの実施形態の操作ロジックのフロー図を図１８に示す。ステップ５１にて、モバイル端末３は、短距離センサ５との短距離接続を確立するのを待ち続ける。接続は、モバイル端末３が短距離センサ５の通信範囲に近接して位置すると生じる。ステップ５３にて、モバイル端末３は、短距離センサ５が、モバイル端末３に転送されるであろう幾つかの処理に関連する関連情報を格納する特殊センサであるかどうか疑う。否定されるとステップ５１に戻り、そうでなければ、ステップ５５にて、モバイル端末３は動作検出手段３１をイネーブルし、ステップ５７にて、後者は、モバイル端末３の可能な動作を検出するまたはタイマ６の終了を待つ。ステップ５９にて、動作が検出されないとステップ２１に戻り、そうでなければ、ステップ６１にて、モバイル端末３は、リモートウェブサービスをリコールして、結果として、短距離センサ５により発見される関連情報に従ってアクチュエータ５０を駆動するであろうコントローラ４への操作を実装する。
【００６７】
コントローラ４は、必要に応じて、そのメモリ４１内に、モバイル端末３の複数の識別子を複数の操作にマップするテーブルを格納する。それらは、例えば、ドアまたは私物のゲートを開け閉めするのを実行することを許可される。特定のコマンドは、モバイル端末３からコントローラ４に、識別子、例えばＩＭＥＩコード（「国際携帯機器識別番号」）またはパスワードとともに、図１７ａから図１７ｄに、その中でコマンドの方向を指すために一方向チャネルとして示される双方向範囲の通信チャネル７を使用して、送信される。 コントローラ４は、それがテーブル内にあるかどうか、および要求された操作を実行することを認証するかどうかチェックし、そうであれば、適切なアクチュエータ（例えば５０Ａおよび５０Ｂ）に所望のコマンドを実行させる。否定されると、コントローラ４は、コマンドを実装せず、望ましくは、クリアテキスト（すなわち、暗号化されていない）の負のフィードバックをモバイル端末３に、送受信モジュール４３によって送信してよい。モバイル端末３は、その第２送受信モジュール３６を通じて、そのようなフィードバックを受信し、コマンドの非実行および／またはユーザへの適切な権限が何らないことを、例えば、スクリーン３５上の可視指示を通じて示す。明らかに、コントローラ４が要求された操作の実装を開始した場合にさえ、フィードバックは、モバイル端末３に送信されることができる。
【００６８】
望ましくは、コマンドおよび識別子は、モバイル端末３からコントローラ４へ、権限のない者が、通信内に含まれる機密情報を傍受および解釈することを防止するために暗号形式で送信される。モバイル端末３が、制限された複数の操作を実行できるようにするために、モバイル端末３のインストールおよびアクティベーションステージは、コントローラ４の近くに予見されることができる。コントローラ４は、それを一義的に識別するのに適当なモバイル端末３の識別情報を取得する。モバイル端末３のイネーブルプロセスの間、権限のないイネーブルを防止するために、コントローラ４のインストーラおよび認証された複数のユーザによってのみ知られる複数のパスワードまたは複数の認証コードを入力することを有利に要求されることができる。この手順は、望ましくは、暗号形式で、適切な複数のログイン証明を入力した後、両電子デバイス３および４により保護され、サポートされた複数の無線通信プロトコルを使用して、行われることができる。
【００６９】
コントローラ４にてモバイル端末３をイネーブルする手順は、概して、各モバイル端末３に対して１回のみ実行される。同一の手順の間、モバイル端末３をディスエーブルすること、または実行することを認証される個々の操作（例えば、ドアを開ける、しかしそれを閉じない）を追加または削除することができる。明らかに、コントローラ４により制御される幾つかのアクチュエータ５０により実行される複数のトランザクションは、あらゆるアクセスの制限を条件としないので、イネーブルされることを必要としない可能性がある。典型的な複数の例は、ドアベルを鳴らすこと（アクチュエータ５０Ｄ）またはインターホンを介してボイスメッセージを残すこと（アクチュエータ５０Ｃ）であり、これらの後者の操作は適切に全員に許可されるべきである。
【００７０】
短距離センサ５の読み取りに続いて複数の動作を認識できるロジックは、モバイル端末３上にインストールされたソフトウェアアプリケーション内にあるが、これは、複数の可能な変形の１つに過ぎない。実際、このロジックは、モバイル端末３がアクセスできるリモート電子デバイス内にあってもよい。
【００７１】
容易に想像できるように、開示された複数の実施形態は、非常に多くの数のトランザクションを同一の短距離センサ５に組み合わせ、それらをイネーブルする幾つかのファクターを利用して、より完全に且つ機能的にされることができる。例えば、実行される動作を区別するために考慮される複数のパラメータの中の時間ファクターを導入して、動作の実行スピード（遅いおよび速い動作）に応じて、複数の操作を区別することが考えられ得る。
【００７２】
この種のアプローチにより、エンドユーザが、絶対的に容易且つ簡素であるとともに潜在的に複雑でもある大きな数の操作を実行することができることを記すことが重要である。
【００７３】
従って、前述より、本発明の複数の特性が、その複数の利点とともに明らかになった。
【００７４】
発明に係る短距離無線通信システムおよび方法の第１の利点は、ユーザが明白で簡単な方法で使用すること、およびいずれの理由で運ぶことを認められる、モバイル端末上で実行される複数のジェスチャおよび複数の動作の使用に基づいて、ユーザ端末の有用性を改善することである。
【００７５】
発明に係る短距離無線通信システムおよび方法の第２の利点は、複数の操作を、ユーザに対してより自然な制御にすることである。これらのジェスチャは、ある操作に対応して、ユーザにより普通に実行されるそれらに似せるように選択されることができる。従って、例えば、ドア閉を制御するために、その縦軸の周りにモバイル端末を９０度より大きくまたは等しく時計回りに回転、またそれを開けるために逆方向に回転、を選択することができる。従って、ロックに挿入される鍵で普通になされる動作を装って、閉じることおよび開けることをそれぞれ実行する。
【００７６】
発明に係る短距離無線通信システムおよび方法の第３の利点は、ユーザに、そのような近距離無線通信を、簡単且つ低コストの方法で実装できるようにすることである。
【００７７】
発明に係る短距離無線通信システムおよび方法のさらなる利点は、モバイル端末に、唯一の短距離通信センサ、特にＮＦＣセンサとの対話の結果として、リモートプロセッサを制御できるようにすることである。
【００７８】
発明に係る短距離無線通信システムおよび方法のさらなる利点は、ユーザに、自分のモバイル端末上で複数の操作を実装するように、自分のモバイル端末を用いて複数のジェスチャの範囲を拡張できるようにすることである。
【００７９】
発明に係る短距離無線通信システムおよび方法のさらなる利点は、ユーザに、リモートプロセッサ上で複数のアクションを実装するように、自分のモバイル端末を用いて複数のジェスチャの範囲を拡張できるようにすることである。
【００８０】
発明に係る短距離無線通信システムおよび方法のさらなる利点は、ユーザに、短距離センサおよびモバイル端末のみを使用することにより、複数の電子デバイスを駆動できるようにすることである。
【００８１】
電子デバイスとして、モバイル端末３、コントローラ４、アクチュエータ５０、ウェブサーバ等が考えられる。
【００８２】
短距離無線通信システム及び方法、特に、短距離センサ通信を備えるＮＦＣ通信および改善された複数の機能を有するモバイル端末に、発明の概念に付随する新規性の原則から逸脱することなく、多くの可能な変形がある。図示された詳細のその実用的な実装形式において異なるのは明らかであり、同一のものは、技術的に等価な要素に置き換えられてよい。
【００８３】
例えば、可能な代替は、センサの識別子のみを考え、リモート電子デバイス（例えば、ウェブサーバ）上で実行される複数の操作に関連する関連情報を格納する、または、短距離センサ５の読み取りを実行するモバイル端末３内に直接格納されるそれらを有することで、短距離センサ５に何も格納しないであろう。
【００８４】
従って、本発明は、短距離無線通信システムおよび方法、特に短距離通信センサを備えるＮＦＣ通信および改善された複数の機能を有するモバイル端末に限定されないことは容易に理解できる。しかし、次の特許請求の範囲に良く特定されるように、発明の概念から逸脱することなく、様々な変更、改良、部品および等価な要素の置き換えが、可能である。
［項目１］
短距離無線通信センサと、上記短距離無線通信センサと対話するモバイル端末と、を備え、
上記モバイル端末は、上記短距離無線通信センサとの対話の後、上記モバイル端末の少なくとも１つの動作を検出する検出手段を含み、
上記モバイル端末は、上記少なくとも１つの動作と上記短距離無線通信センサとの上記対話とに基づいて少なくとも１つの操作を制御する制御手段、特にマイクロプロセッサを含み、
上記短距離無線通信センサは、上記少なくとも１つの操作と上記モバイル端末の上記少なくとも１つの動作との間の関連情報を含む、
短距離無線通信システム。
［項目２］
上記少なくとも１つの操作と上記モバイル端末の上記少なくとも１つの動作との間の上記関連情報は、少なくとも１つのＵＲＬまたはユニフォームリソースロケータを含む、項目１に記載の短距離無線通信システム。
［項目３］
上記制御手段は、上記モバイル端末の上記少なくとも１つの動作に基づいて上記少なくとも１つの操作を実行する、項目１または２に記載の短距離無線通信システム。
［項目４］
上記少なくとも１つの操作と上記モバイル端末の上記少なくとも１つの動作との間の上記関連情報は、上記モバイル端末からアクセス可能なリモート電子デバイスに送信される、項目１から３のいずれか一項に記載の短距離無線通信システム。
［項目５］
上記短距離無線通信システムは、上記モバイル端末に動作可能に接続されるリモート電子デバイス、特にコントローラを含み、上記モバイル端末の上記少なくとも１つの動作に基づいて少なくとも１つの操作を制御する第２制御手段、特にマイクロコントローラを備える、項目１から４のいずれか一項に記載の短距離無線通信システム。
［項目６］
上記短距離無線通信システムは、少なくとも１つの操作を実行し、上記少なくとも１つのコントローラにより駆動される少なくとも１つのアクチュエータをさらに含む、項目１から５のいずれか一項に記載の短距離無線通信システム。
［項目７］
上記短距離無線通信センサは、ＮＦＣまたは近距離通信タイプのセンサである、項目１から６のいずれか一項に記載の短距離無線通信システム。
［項目８］
上記検出手段は、複数の慣性センサ、特に、少なくとも１つの加速度計または少なくとも１つのジャイロスコープのいずれかを含む、項目１から７のいずれか一項に記載の短距離無線通信システム。
［項目９］
上記少なくとも１つの操作の実装は、上記対話から開始する予め定められたの時間ギャップの範囲内で、上記モバイル端末の上記少なくとも１つの動作の性能から依存する、項目１から８のいずれか一項に記載の短距離無線通信システム。
［項目１０］
近距離無線通信においてモバイル端末を通じて電子デバイスを制御する方法であって、
モバイル端末を短距離無線通信センサと対話させる段階と、
上記対話の後、検出手段を通じて、上記モバイル端末の動作を、少なくとも上記モバイル端末を通じて検出する段階と、
短距離無線通信センサからおよび上記モバイル端末を通じて、上記少なくとも１つの操作と上記モバイル端末の動作との間の関連情報を読み取る段階と、
上記モバイル端末の制御手段を通じて、上記動作および上記短距離無線通信センサとの上記対話に基づいて少なくとも１つの操作を制御する段階と、
を備える方法。
［項目１１］
上記方法は、上記制御手段を通じて、上記モバイル端末の上記動作に基づいて上記少なくとも１つの操作を実行する段階を提供する、項目１０に記載の方法。
［項目１２］
上記方法は、上記モバイル端末に動作可能に接続される少なくとも１つのリモートコントローラを提供する第２制御手段を通じて、上記モバイル端末の上記動作に基づいて少なくとも１つの操作を制御する段階を提供する、項目１０に記載の方法。
［項目１３］
上記方法は、少なくとも１つのアクチュエータを通じて少なくとも１つの操作を実行する段階と、上記モバイル端末に動作可能に接続される少なくとも１つのコントローラを通じて上記少なくとも１つのアクチュエータを制御する段階と、を提供する、項目１０に記載の方法。
［項目１４］
上記方法は、上記少なくとも１つの操作の実装は、上記対話から開始する予め定められた期間の範囲内で、上記モバイル端末の上記動作の性能から依存することを提供する、項目１０から１３のいずれか一項に記載の方法。
［項目１５］
項目１０から１４のいずれか一項に記載の方法を実装するモバイル端末、特にモバイルまたは携帯電話、スマートフォン、少なくとも１つの短距離通信回路を用いて提供されるバッジまたはクレジットカード、動作検出手段、および制御手段。
［項目１６］
コンピュータに、項目１０から１４のいずれか一項に記載の方法を実装させるプログラム。
【図１】
0006423358.tif 000002
【図２ａ】
0006423358.tif 000003
【図２ｂ】
0006423358.tif 000004
【図２ｃ】
0006423358.tif 000005
【図３ａ】
0006423358.tif 000006
【図３ｂ】
0006423358.tif 000007
【図４】
0006423358.tif 000008
【図５】
0006423358.tif 000009
【図６】
0006423358.tif 000010
【図７】
0006423358.tif 000011
【図８】
0006423358.tif 000012
【図９】
0006423358.tif 000013
【図１０】
0006423358.tif 000014
【図１１】
0006423358.tif 000015
【図１２】
0006423358.tif 000016
【図１３】
0006423358.tif 000017
【図１４】
0006423358.tif 000018
【図１５】
0006423358.tif 000019
【図１６】
0006423358.tif 000020
【図１７ａ】
0006423358.tif 000021
【図１７ｂ】
0006423358.tif 000022
【図１７ｃ】
0006423358.tif 000023
【図１７ｄ】
0006423358.tif 000024
【図１８】
0006423358.tif 000025